(57)【要約】【課題】ユーザが他人に見せたくないプライベートな画像のチェックを必要とせず、ユーザ以外の他人が使用するときにプライベートな画像を自由に再生できないようにする記録再生技術の実現。【解決手段】画像を撮像し画像データを生成する撮像手段と、前記画像データを記録媒体に記録する記録手段と、前記記録手段に記録された画像データを再生する再生手段と、前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替手段と、前記記録媒体に前記特定のモードで記録された画像データが存在する場合、前記第１の動作モードへの切り替えを禁止する制御手段とを備える。【選択図】図５
2008177784.tif 000002
【特許請求の範囲】
【請求項１】
画像を撮像し画像データを生成する撮像手段と、
前記画像データを記録媒体に記録する記録手段と、
前記記録手段に記録された画像データを再生する再生手段と、
前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替手段と、
前記記録媒体に前記特定のモードで記録された画像データが存在する場合、前記第１の動作モードへの切り替えを禁止する制御手段とを備えることを特徴とする記録再生装置。
【請求項２】
前記第１の動作モードへの切り替えが禁止された場合、その旨を通知する通知手段を更に有することを特徴とする請求項１に記載の記録再生装置。
【請求項３】
前記記録媒体は、装置本体に内蔵されていることを特徴とする請求項１又は２に記載の記録再生装置。
【請求項４】
前記記録手段は、前記特定のモードで記録された画像データであることを表す情報を生成する生成手段を有することを特徴とする請求項１乃至３のいずれか１項に記載の記録再生装置。
【請求項５】
前記記録手段は予め決められたファイルシステムに従って前記記録媒体に記録した画像データを管理する管理手段を有し、前記管理手段は、前記特定モードで記録した画像データと前記第１の動作モードで記録した画像データとを、互いに異なるディレクトリに格納することを特徴とする請求項１乃至４のいずれか１項に記載の記録再生装置。
【請求項６】
前記記録媒体に記録された画像データをバックアップのために複製して記録するバックアップ手段と、
前記画像データが前記バックアップ手段によってバックアップ済みか否かを判定する判定する判定手段と、を更に有し、
前記制御手段は、前記特定のモードで記録された画像データが前記記録媒体に存在し且つ前記バックアップ済みと判定された場合、前記第１の動作モードへの切り替え指示に応じて当該画像データを前記記録媒体から削除すると共に、前記モード切替手段による前記第１の動作モードへの切り替えを許容する一方、前記特定のモードで記録された画像データがバックアップ済みでないと判定された場合、当該画像データを削除せずに、前記第１の動作モードへの切り替え指示に応じて予め決められた警告を前記通知手段に通知させることを特徴とする請求項２に記載の記録再生装置。
【請求項７】
画像を撮像し画像データを生成する撮像手段と、
前記画像データを記録媒体に記録する記録手段と、
前記記録手段に記録された画像データを再生する再生手段と、
前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替手段と、
前記再生手段により再生された画像データに係る画像を表示装置に表示する表示制御手段と、
前記記録媒体に前記特定のモードで記録された画像データが存在する場合、前記第１の動作モードへの切り替え指示に応じて、前記特定のモードで記録された画像データを表示禁止に設定すると共に、前記第１の動作モードに切り替えるよう前記モード切替手段を制御する制御手段とを備えることを特徴とする記録再生装置。
【請求項８】
前記記録手段は、前記特定のモードで記録された画像データを暗号化する暗号化手段を有し、
前記記録手段は、前記特定モードにおいては前記暗号化手段により暗号化された画像データを前記記録媒体に記録し、前記特定モード以外のモードにおいては前記暗号化手段により暗号化されていない画像データを前記記録媒体に記録することを特徴とする請求項１に記載の記録再生装置。
【請求項９】
前記モード切替手段は、パスワードの入力をトリガとして前記第１の動作モードへの切り替えを実行することを特徴とする請求項１乃至８のいずれか１項に記載の記録再生装置。
【請求項１０】
前記記録手段は、前記モード切替手段による前記第１の動作モードから前記第２の動作モードへの切り替え時に、前記第１の動作モードで記録した画像データを前記記録媒体から削除することを特徴とする請求項１乃至９のいずれか１項に記載の記録再生装置。
【請求項１１】
前記記録手段は、前記モード切替手段による前記第１の動作モードから前記第２の動作モードへの切り替え時に、前記第１の動作モードで記録した画像データをグループ化して記録することを特徴とする請求項１乃至９のいずれか１項に記載の記録再生装置。
【請求項１２】
前記第１の動作モードから前記第２の動作モードに切り替えるための処理を行う第３の動作モードを更に有し、
前記第２の動作モードは、前記第１の動作モードから前記第３の動作モードを経由して切り替えらえることを特徴とする請求項１乃至１１のいずれか１項に記載の記録再生装置。
【請求項１３】
前記記録手段は、前記モード切替手段による前記第１の動作モードから前記第３の動作モードへの切り替え時に、前記第１の動作モードで記録した画像データを前記記録媒体から削除することを特徴とする請求項１２に記載の記録再生装置。
【請求項１４】
前記記録手段は、前記モード切替手段による前記第１の動作モードから前記第３の動作モードへの切り替え時に、前記第１の動作モードで記録した画像データをグループ化して記録することを特徴とする請求項１２に記載の記録再生装置。
【請求項１５】
前記モード切替手段は、パスワードの入力をトリガとして前記第３の動作モードから前記第２の動作モードへの切り替えを実行することを特徴とする請求項１２乃至１４のいずれか１項に記載の記録再生装置。
【請求項１６】
前記画像データは、少なくとも動画像データを含むことを特徴とする請求項１乃至１５のいずれか１項に記載の記録再生装置。
【請求項１７】
画像を撮像し画像データを生成する撮像手段と、
前記画像データを記録媒体に記録する記録手段と、
前記記録手段に記録された画像データを再生する再生手段と、を有する記録再生装置の制御方法であって、
前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替ステップと、
前記記録媒体に前記特定のモードで記録された画像データが存在する場合、前記第１の動作モードへの切り替えを禁止する制御ステップとを備えることを特徴とする制御方法。
【請求項１８】
画像を撮像し画像データを生成する撮像手段と、
前記画像データを記録媒体に記録する記録手段と、
前記記録手段に記録された画像データを再生する再生手段と、を有する記録再生装置の制御方法であって、
前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替ステップと、
前記再生手段により再生された画像データに係る画像を表示装置に表示する表示制御ステップと、
前記記録媒体に前記特定のモードで記録された画像データが存在する場合、前記第１の動作モードへの切り替え指示に応じて、前記特定のモードで記録された画像データを表示禁止に設定すると共に、前記第１の動作モードに切り替えるよう制御する制御ステップとを備えることを特徴とする制御方法。
【請求項１９】
請求項１７又は１８に記載の制御方法をコンピュータに実行させるためのプログラム。
【請求項２０】
請求項１９に記載のプログラムを記憶したコンピュータ可読記憶媒体。
【発明の詳細な説明】
【技術分野】
【０００１】
本発明は、デジタルビデオカメラ等により撮影された動画像データ等の記録コンテンツの記録再生技術に関するものである。
【背景技術】
【０００２】
従来、撮影した画像データをハードディスク（ＨＤＤ）等の内蔵メディアに対して記録するビデオカメラが知られている（例えば、特許文献１参照）。ＨＤＤの容量は飛躍的に大きくなっており、数十時間から百時間を超える画像データを記録可能である。
【０００３】
一方、ＨＤＤはＤＶＤ等のディスク媒体に比べて信頼性が低いため、大切なシーン等はディスク媒体等にバックアップして保存する形態が考えられる。
【特許文献１】特開２００５−３５４１３３号公報
【発明の開示】
【発明が解決しようとする課題】
【０００４】
しかしながら、ＨＤＤの容量が大容量であるため、バックアップを取ったからといってもすぐに消さないでおくことが考えられる。そのため、ユーザが使おうと思ったとき、例えば家族以外には見せたくないような画像が残っていないか等、使用状況に応じて不安が残る。この不安を取り除くために全ての画像データをチェックする等の手間を要する。記録容量が増えればその分チェックの時間も要する可能性が高くなっていく。
【０００５】
本発明は、上記課題に鑑みてなされ、その目的は、ユーザが他人に見せたくないプライベートな画像のチェックを必要とせず、ユーザ以外の他人が使用するときにプライベートな画像を自由に再生できないようにする記録再生技術を実現することである。
【課題を解決するための手段】
【０００６】
上記課題を解決し、目的を達成するために、本発明の記録再生装置は、画像を撮像し画像データを生成する撮像手段と、前記画像データを記録媒体に記録する記録手段と、前記記録手段に記録された画像データを再生する再生手段と、前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替手段と、前記記録媒体に前記特定のモードで記録された画像データが存在する場合、前記第１の動作モードへの切り替えを禁止する制御手段とを備える。
【０００７】
また、本発明の記録再生装置は、画像を撮像し画像データを生成する撮像手段と、前記画像データを記録媒体に記録する記録手段と、前記記録手段に記録された画像データを再生する再生手段と、前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替手段と、前記再生手段により再生された画像データに係る画像を表示装置に表示する表示制御手段と、前記記録媒体に前記特定のモードで記録された画像データが存在する場合、前記第１の動作モードへの切り替え指示に応じて、前記特定のモードで記録された画像データを表示禁止に設定すると共に、前記第１の動作モードに切り替えるよう前記モード切替手段を制御する制御手段とを備える。
【０００８】
また、本発明の記録再生装置の制御方法は、画像を撮像し画像データを生成する撮像手段と、前記画像データを記録媒体に記録する記録手段と、前記記録手段に記録された画像データを再生する再生手段と、を有する記録再生装置の制御方法であって、前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替ステップと、前記記録媒体に前記特定のモードで記録された画像データが存在する場合、前記第１の動作モードへの切り替えを禁止する制御ステップとを備える。
【０００９】
また、本発明の記録再生装置の制御方法は、画像を撮像し画像データを生成する撮像手段と、前記画像データを記録媒体に記録する記録手段と、前記記録手段に記録された画像データを再生する再生手段と、を有する記録再生装置の制御方法であって、前記記録手段が特定のユーザのみが再生可能となるよう前記画像データを記録する特定モードと、前記記録手段が前記画像データを記録すると共に前記特定のユーザのみが前記特定のモードで記録された画像データを再生可能な第１の動作モードと、前記記録手段が前記画像データを記録すると共に全てのユーザが前記特定のモードで記録された画像データを再生可能な第２の動作モードとを切り替えるモード切替ステップと、前記再生手段により再生された画像データに係る画像を表示装置に表示する表示制御ステップと、前記記録媒体に前記特定のモードで記録された画像データが存在する場合、前記第１の動作モードへの切り替え指示に応じて、前記特定のモードで記録された画像データを表示禁止に設定すると共に、前記第１の動作モードに切り替えるよう制御する制御ステップとを備える。
【発明の効果】
【００１０】
本発明によれば、ユーザが他人に見せたくないプライベートな画像のチェックを必要とせず、ユーザ以外の他人が使用するときにプライベートな画像を自由に再生できないようにすることができる。
【発明を実施するための最良の形態】
【００１１】
以下に、添付図面を参照して本発明を実施するための最良の形態について詳細に説明する。
【００１２】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１３】
［第１の実施形態］
図１は、本発明に係る実施形態のビデオカメラの内部構成を示すブロック図である。
【００１４】
図１において、１０１はレンズユニットであり、集光のための固定レンズ群、変倍レンズ群、絞り、変倍レンズ群の動きで移動した結像位置を補正する機能と焦点調節を行う機能とを兼ね備えた補正レンズ群により構成される。レンズユニット１０１によって、最終的に後述のＣＣＤ１０２の結像面上に被写体像が結像される。１０２はＣＣＤ（Charge Coupled Device）であり、光を電荷に変換して撮像信号を生成する。１０３はカメラ信号処理回路であり、撮像信号に所定の処理を施しデジタル画像データを出力する。
【００１５】
１０４は圧縮伸張回路であり、デジタル画像データをＭＰＥＧ（Moving Picture Experts Group）２方式等で圧縮し、圧縮ビデオデータを生成する。また、圧縮伸張回路１０４は圧縮ビデオデータを入力し、これを伸張する機能も兼ね備えている。
【００１６】
１０７はマイクロコンピュータであり、システム全体を制御する。１０８はフラッシュＲＯＭであり、マイクロコンピュータ１０７が実行するプログラム等が格納されている。また、フラッシュＲＯＭ１０８の一部領域をバックアップ用とし、システム状態等を保持するために使用する。１０９はメモリであり、マイクロコンピュータ１０７や圧縮伸張回路１０４等がワークエリアとして使用する揮発性メモリである。
【００１７】
１１３はバスである。１１２はカメラ本体に対して着脱不能な状態で搭載されているハードディスク（ＨＤＤ）であり、圧縮伸張回路１０４で生成された圧縮ビデオデータを所定フォーマットに従って動画像ファイルとして記録するための記録媒体である。所定フォーマットは、ＦＡＴ等のＰＣ（パーソナルコンピュータ）のファイルシステムと互換性のあるものでも良い。
【００１８】
１０５はオンスクリーンディスプレイ部（ＯＳＤ）であり、圧縮伸長回路１０４からの画像データを液晶パネル１０６に供給し、画像を表示する。また、ＯＳＤ１０５は、各種設定メニューやタイトル、時間等の情報をデジタル画像データに重畳して表示する機能を有する。１０６は液晶パネルであり、ＯＳＤ１０５の出力を受け、画像データや各種設定メニューやタイトル、時間等の情報を表示する。実際のビデオカメラには、この他にテレビジョン受像機等の外部機器に接続するための端子を有するのが一般的である。また、音声データについてもマイクユニットやスピーカー等の入出力機器が設けられ、画像データと共に圧縮して記録されるが、本実施形態では説明を省略する。
【００１９】
尚、本実施形態のビデオカメラにおいては、ＨＤＤ１１２はビデオカメラ本体に内蔵されており、ＤＶＤ等のリムーバブルメディアのように、特定の装着、排出機構等により容易に取り外すことができない。
【００２０】
１１１は操作スイッチ群であり、ユーザが操作入力するためのものである。また操作スイッチ群１１１には主として、画像を撮影するためのカメラモード、画像データを再生するための再生モード、及び電源オフとするパワーオフモードを選択するためのスイッチ等が設けられている。１１４はＵＳＢ端子であり、ＰＣやプリンタ等の外部機器と接続するために設けられる。
【００２１】
本実施形態のビデオカメラでは、操作スイッチ１１１による撮影開始の指示から撮影停止の指示までの間にＨＤＤ１１２に記録した一連の動画データを一つのファイルとして管理する。また、再生時には、ＨＤＤ１１２に記録された複数の動画ファイルのうち、操作スイッチ１１１によりユーザが指定したシーンの画像ファイルを読み出し、伸長して液晶パネル１０６に表示する。
【００２２】
ここで、本実施形態のビデオカメラは、後述する貸出モードにてユーザにより記録された画像の再生を許可するか否かを設定する機能を有する。以下では、特に他人による再生を禁止した状態で撮影／記録するモードをプライベートモード（特定のモード）、プライベートモードで撮影された再生禁止画像をプライベート画像データと呼ぶ。
【００２３】
図８はプライベートモードに設定するときのＧＵＩ（Graphic User Interface）を例示している。操作スイッチ群１１１の中にＦＵＮＣキー１１１ａが設けられている。ＦＵＮＣキー１１１ａはユーザが機能を選択するときに操作するスイッチであり、マイクロコンピュータ１０７は、ＦＵＮＣキー１１１ａの操作入力を受けて図８に示すＧＵＩ画面８０１をＯＳＤ１０５で作成し表示する。８０２は機能選択バーであり、ユーザが設定可能な機能が縦に並んでいる。８０３は選択肢であり、機能選択バー８０２で選択されて機能によって内容が変化する。図８は前述のプライベートモードが設定可能な状態であり、ユーザは操作スイッチ群１１１の十字キー等で選択肢８０３からオン／オフを指定できる。尚、このプライベートモードの設定が有効となるのは図４で後述する標準モードから貸出モードに切り替えられた時のみである。
【００２４】
ユーザが一旦プライベートモードに設定すると、プライベートモードを解除するまでの間、若しくは後述の貸出モードに切り替えられるまでの間、ビデオカメラはプライベートモードの設定を維持する。つまり、例えば主電源が切れた後（バッテリ切れ、ユーザ操作による電源オフ等）でもプライベートモードの設定が保存され、次回電源オン時に同じモードで起動する。プライベートモードでは、当該モード設定中に撮影された全ての画像データに対して後述するプライベートフラグ（図３のPrivate  Flag３０２）を付加してプライベート画像データとして記録する。
【００２５】
尚、プライベートモードでは、ＨＤＤ１１２に記録された全ての画像データを再生することができる。
【００２６】
更に、本実施形態のビデオカメラは、ユーザ本人や家族が主に使用する標準モード（第２の動作モード）と、ユーザや家族以外の他人に貸し出した際にプライベート画像データを再生禁止とする貸出モード（第１の動作モード）と、が切り替え可能である。更に、貸出モードから標準モードに戻す前処理を行う返却モード（第３の動作モード）を有する。
【００２７】
本実施形態では、例えば、ユーザ本人を含む家族のみで日常的に使用するときは標準モード、友人に貸し出したり家族以外の人たちが使用するときは貸出モードに設定するといった使い分けができる。
【００２８】
図４は上記標準モード、貸出モード及び返却モードの各状態遷移を例示している。
【００２９】
図４において、４０１，４０２，４０３は各モードを示し、４０４，４０５，４０６は各モード間の遷移を示している。標準モード４０１から貸出モード４０２への遷移４０４及び貸出モード４０２から返却モード４０３への遷移４０５は上記ＧＵＩを通じたユーザ操作によって切り替えられる。これらモードを切り替えるためのＧＵＩは、例えば記録時の画質等を設定するメニューの一項目として実装される。尚、返却モード４０３から標準モード４０１への遷移４０６は、パスワード等の持ち主しか知り得ない情報を入力しないと切り替えることができないように構成されている。
【００３０】
尚、貸出モード４０２及び返却モード４０３では、標準モード４０１で撮影／記録された画像ファイルの操作が禁止される。つまり、これら各モードでは、少なくとも“メディアのフォーマット“並びに”標準モードで撮影された画像ファイルの消去や分割等の編集に関わる操作”が禁止される。“全ての画像ファイルを削除”のような一括削除機能の実行時であっても削除対象ファイルから除外される。
【００３１】
また、いずれのモードに設定されているかを表す情報（フラグ等）はフラッシュＲＯＭ１０８に記憶され、例えば主電源が切れたとき（バッテリ切れ、ユーザ操作による電源オフ等）にも初期化されることはなく、次回電源オン時に同じモードで起動する。
【００３２】
図２はＨＤＤ１１２に動画像データを記録するときのファイル構成を例示している。
【００３３】
図２において、２０１はルートである。２０２は本ファイルシステムによって記録される動画像ファイル群を記録するためのディレクトリであり、”ＳＤ−ＶＩＤＥＯ”という名称である。更に２０３，２０４のようにサブディレクトリを設け、所定のファイル数ごと又は他の条件に従って動画像ファイルを格納するディレクトリを分類していく。また、これらのディレクトリの名称は“ＰＲＧ”プラス３桁の数字とする。２０５〜２０８は記録コンテンツとしてのそれぞれの動画像データファイルであり、１回の記録で２つのファイルが生成され記録される。それぞれが２つのファイルで構成され、拡張子“ＭＯＤ”がストリームファイルであり、拡張子“ＭＯＩ”が管理ファイルである。また、ファイル名は“ＭＯＶ”プラス３桁の数字＋ピリオード＋拡張子である。
【００３４】
図３の３０１は管理ファイル（ＭＯＶＸＸＸ．ＭＯＩ）の中身を例示しており、３０２はPrivate  Flagであり、プライベート画像データであるか否かを判定するために用いられる情報である。その他、タイムテーブル等の再生に必要な情報が記述されるのが一般的であるが、本実施形態では説明を省略する。
【００３５】
次に、Private  Flag３０２を用いて貸出モードに切り替える際の処理について図５を参照して説明する。
【００３６】
図５は、第１の実施形態のPrivate  Flag３０２を用いて貸出モードに切り替える際の処理を示すフローチャートである。
【００３７】
尚、以下の各ステップは、マイクロコンピュータ１０７のＣＰＵ（演算処理部）がフラッシュＲＯＭ１０８に記憶されたプログラムを実行することにより実現されるものである。
【００３８】
図５において、Ｓ５０２では、操作スイッチ群１１１及びＧＵＩを通じたユーザ操作によって貸出モードへの切り替え要求があったか判定し、切り替え要求があったならばＳ５０３に移行する。
【００３９】
Ｓ５０３では、全ての画像ファイルに対するプライベート画像データか否かのチェックを行う。ここでは、図３に示すPrivate  Flag３０２によってプライベート画像データか否かを判定する。
Ｓ５０４では、Ｓ５０３でのチェックの結果、１つでもプライベート画像データがあったか否かを判別する。そして、プライベート画像データが１つでも含まれていると判定されたならばＳ５０６に移行し、プライベート画像データが１つも含まれていないと判定されたならばＳ５０５に移行する。
【００４０】
Ｓ５０６は警告表示処理である。例えば、ＯＳＤ１０５を用いて液晶パネル１０６等に図６に示すような警告表示画面６０１を所定時間出力する。また、このとき貸出モードには切り替えずに本処理を終了する。
【００４１】
Ｓ５０５は貸出モード切替処理であり、図４の標準モード４０１から貸出モード４０２へ切り替える。ここでは、フラッシュＲＯＭ１０８に貸出モードに設定されていることを表す情報を記録すると共に、これから撮影される画像データを記録するためのディレクトリを新たに作成する。例えば“ＰＲＧ００１“ディレクトリまで作成済みであれば、“ＰＲＧ００２“ディレクトリを新たに作成する。更に、どこからが貸出モードで記録された画像データであるか判別可能にするための情報もフラッシュＲＯＭ１０８に記録される。
【００４２】
尚、図７に示す表示画面７０１に貸出モードの設定中である旨７０２が表示される。また、返却モード４０３は必須でなくても良い。この場合、貸出モード４０２から標準モード４０１への切り替え時にパスワード等の持ち主しか知り得ない情報を入力しないと切り替えることができないような工夫が必要である。
【００４３】
また、貸出モード４０２から返却モード４０３及び標準モード４０１への切り替え時に貸出モード４０２で記録された画像データを削除するように構成しても良い。
【００４４】
更に、貸出モード４０２から返却モード４０３及び標準モード４０１への切り替え時に貸出モード４０２で記録された画像データをプレイリストやＸＭＬ等でグループ化し、新たに作成したディレクトリに格納しても良い。
【００４５】
また、上述した各動作に必要となる情報もフラッシュＲＯＭ１０８に記録される。
【００４６】
以上説明したように、本実施形態によれば、貸出モード４０２を設け、プライベート画像データが存在する場合には貸出モード４０２の切り替えを禁止すると共に、警告を発してユーザに報知することが可能となる。よって、ユーザが他人に見せたくないプライベートな画像のチェックを必要とせず、ユーザ以外の他人が使用するときにプライベートな画像を自由に再生できないようにし、プライベートな画像を不用意に他人に見られてしまうことを未然に防ぐことができる。
【００４７】
尚、本実施形態では、プライベートモードに設定した後、解除されるまでに撮影された全ての画像データに対しプライベートフラグを付加しているが、１つのシーンを撮影するごとにプライベートモードを設定するか否かを選択可能としても良い。
【００４８】
［第２の実施形態］
次に、第２の実施形態について図９を参照して説明する。
【００４９】
図９は、図５のフローに対してＳ９１１、Ｓ９１２の処理が追加されており、図５と同様の処理には同一の符号を付して示している。
【００５０】
図９において、Ｓ５０３でのチェックの結果、Ｓ５０４でプライベート画像データが１つでも含まれていると判定されたならばＳ９１１、プライベート画像データが１つも含まれていないと判定されたならばＳ５０５へ夫々移行する。
【００５１】
Ｓ９１１では、プライベート画像データがフラッシュＲＯＭ１０８やＰＣ等の外部機器に転送してバックアップ済みであるか否かを判定し、バックアップ済みならばＳ９１２、バックアップ済みでないならばＳ５０６へそれぞれ移行する。バックアップ済みか否かの判定には、例えばファイルのアーカイブ情報を用いるが、管理情報にフラグを設けても良い。
【００５２】
Ｓ９１２は削除処理であり、全ての画像ファイルがＨＤＤ１１２から削除される。
【００５３】
上記処理を追加することにより、プライベート画像データが存在している場合であっても、バックアップ済みであれば貸出モードに切り替えることが可能となり、使い勝手を向上させることができる。
【００５４】
［第３の実施形態］
次に、第３の実施形態について図１０を参照して説明する。
【００５５】
図１０は、図５のフローチャートに対してＳ１０１１の処理が追加され、Ｓ５０６の処理が省略されており、図５と同様の処理には同一の符号を付して示している。
【００５６】
図１０において、Ｓ５０３でのチェックの結果、Ｓ５０４でプライベート画像データが１つでも含まれていると判定されたならばＳ１０１１、プライベート画像データが１つも含まれていないと判定されたならばＳ５０５へ夫々移行する。
【００５７】
Ｓ１０１１では、プライベート画像データを非表示（表示不可）にする処理を行う。ここではファイルの表示属性を操作して非表示に設定する。
【００５８】
上記処理を追加することにより、プライベート画像データが存在している場合であっても非表示とすることで貸出モードに切り替えることが可能となり、使い勝手を向上させることができる。
【００５９】
［第４の実施形態］
次に、第４の実施形態について図１１及び図１２を参照して説明する。
【００６０】
図１１は、第４の実施形態のビデオカメラの内部構成を示すブロック図であり、図１と同じブロックには同一の符号を付して示している。
【００６１】
図１１において、１１２０は暗号化回路であり、画像データを暗号化又は暗号化を解除する回路である。暗号化回路１１２０は、何らかのＩＤをキーとて暗号化を実行するものであり、ＩＤはマイクロコンピュータ１０７から付与される。
【００６２】
図１２は、第４の実施形態の画像データの暗号化記録処理を示すフローチャートである。
【００６３】
図１２において、Ｓ１２０２では、操作スイッチ群１１１及びＧＵＩを通じたユーザ操作によって画像データの記録要求があったか判定し、記録要求があったならばＳ１２０３に移行する。
【００６４】
Ｓ１２０３〜Ｓ１２０５では、標準モードで且つプライベート画像データが存在するときにのみ暗号化回路１１２０によってプライベート画像データを暗号化して記録する。また、標準モード又はプライベート画像ファイルが存在しないときは画像データを暗号化せずに記録する（Ｓ１２０６）。
【００６５】
図１３は画像データの再生処理を示すフローチャートである。
【００６６】
図１３において、操作スイッチ群１１１及びＧＵＩを通じたユーザ操作によって画像データの再生要求があったか判定し、再生要求があったならばＳ１３０３に移行する。
【００６７】
次に、Ｓ１３０３で標準モードであるときには暗号化の有無によらず全ての画像データを再生可能に設定する（Ｓ１３０５）。また、Ｓ１３０３で標準モード以外のモード（貸出モード）では暗号化されていない画像データのみを再生可能に設定する（Ｓ１３０６）。
【００６８】
尚、Ｓ１３０６で、ＵＳＢ等を通じてＰＣ等の外部機器に接続されている場合、ビデオカメラで暗号化されたプライベート画像データは前述の暗号化ＩＤを入力したときにのみＰＣにより再生可能となる。
【００６９】
以上説明したように、本実施形態によれば、プライベート画像データに暗号化記録処理を施すことで、貸出モードにおいてＰＣ等の外部機器と接続された場合であっても、プライベートな画像を不用意に他人に見られてしまうことを未然に防ぐことができる。
【００７０】
尚、上記各実施形態を組み合わせて構成しても、本発明の目的を達成できることは言うまでもない。
【００７１】
［他の実施形態］
本発明の目的は次のような方法によっても達成される。即ち、前述した各実施形態の機能を実現するソフトウェアのプログラムコードを記録した記憶媒体（又は記録媒体）を、システムあるいは装置に供給する。そして、そのシステムあるいは装置のコンピュータ（又はＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。即ち、プログラムコードの指示に基づき、コンピュータ上で稼働しているオペレーティングシステム（ＯＳ）等が実際の処理の一部又は全部を行い、その処理によって前述した実施形態の機能が実現される。
【００７２】
更に、次のような場合も本発明に含まれる。すなわち、記憶媒体から読み出されたプログラムコードが、コンピュータに挿入された機能拡張カードやコンピュータに接続された機能拡張ユニットに備わるメモリーに書込まれる。その後、そのプログラムコードの指示に基づき、その機能拡張カードや機能拡張ユニットに備わるＣＰＵ等が実際の処理の一部又は全部を行い、その処理によって前述した実施形態の機能が実現される。
【００７３】
本発明を上記記憶媒体に適用する場合、その記憶媒体には、先に説明した手順に対応するプログラムコードが格納されることになる。
【図面の簡単な説明】
【００７４】
【図１】本発明に係る実施形態のビデオカメラの内部構成を示すブロック図である。
【図２】ＨＤＤに動画像を記録するときのファイル構成を例示する図である。
【図３】管理ファイルの中身を例示する図である。
【図４】標準モード、貸出モード及び返却モードの各状態遷移を例示する図である。
【図５】第１の実施形態の貸出モードに切り替える際の処理を示すフローチャートである。
【図６】警告表示画面を例示する図である。
【図７】貸出モード時の表示画面を例示する図である。
【図８】プライベートモードに設定するときのＧＵＩを例示する図である。
【図９】第２の実施形態の貸出モードに切り替える際の処理を示すフローチャートである。
【図１０】第３の実施形態の貸出モードに切り替える際の処理を示すフローチャートである。
【図１１】第４の実施形態のビデオカメラの内部構成を示すブロック図である。
【図１２】第４の実施形態の画像データの暗号化記録処理を示すフローチャートである。
【図１３】画像データの再生処理を示すフローチャートである。
【符号の説明】
【００７５】
１０１  レンズユニット
１０２  ＣＣＤ
１０３  カメラ信号処理回路
１０４  圧縮伸張回路
１０５  ＯＳＤ
１０６  液晶パネル
１０７  マイクロコンピュータ
１０８  フラッシュＲＯＭ
１０９  メモリ
１１１  操作スイッチ群
１１２  ＨＤＤ
１１３  バス
１１４  ＵＳＢ
１１２０  暗号化回路
【図１】
2008177784.tif 000003
【図２】
2008177784.tif 000004
【図３】
2008177784.tif 000005
【図４】
2008177784.tif 000006
【図５】
2008177784.tif 000007
【図６】
2008177784.tif 000008
【図７】
2008177784.tif 000009
【図８】
2008177784.tif 000010
【図９】
2008177784.tif 000011
【図１０】
2008177784.tif 000012
【図１１】
2008177784.tif 000013
【図１２】
2008177784.tif 000014
【図１３】
2008177784.tif 000015